【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
電子解錠を可能とするための入力部を備える電子施錠解錠機構と、
前記電子施錠解錠機構を備えた部屋、該部屋を管理する管理者および部屋の解錠有無に関する情報を含む管理情報と、前記部屋を利用するユーザおよび該ユーザの連絡先に関するユーザ情報と、前記管理者が設定した、前記部屋に対応する電子解錠のための図形を表す図形データとを記録する記録部と、
前記ユーザ情報に基づいて、前記ユーザの携帯端末の画面上に前記図形データを表示させるためのメッセージを配信する配信部と、
前記ユーザが、前記入力部に入力した図形データを受け付ける受付部と、
前記受け付けられた図形データと、前記記録された図形データとの一致判定をする判定部と、
前記判定によりそれぞれの図形データが一致する際に、前記電子施錠解錠機構を解錠するための信号を前記電子施錠解錠機構に発信する発信部と、
前記発信により電子施錠解錠機構が解錠されたことを前記管理情報に更新する更新部とを備えたサーバとを備える電子解錠管理システム。
【請求項２】
前記サーバは、
前記管理者が前記部屋に対応する電子解錠のための図形を表す図形データを設定するに際し、前記ユーザの視認補助となるための格子点を設定可能とする格子点描画部を備えるものであって、前記格子点描画部により、設定された格子点を畳重ねた図形データを記録することを特徴とする請求項１記載の電子解錠管理システム。
【請求項３】
前記サーバは、
前記部屋の使用用途に応じた電子解錠のセキュリティレベルを変化させるセキュリティ管理部を備えるものであって、
前記セキュリティ管理部は、前記管理情報に基づき、前記管理者に対して、前記記録部に記録するための図形データを複数設定するためのメッセージを前記配信部に配信させ、
前記判定部が、前記複数設定された図形データがそれぞれ一致するように判定するようにさせることで、セキュリティレベルを変化させることを特徴とする請求項１または２記載の電子解錠管理システム。
【請求項４】
前記サーバは、
前記部屋の使用用途に応じた電子解錠のセキュリティレベルを変化させるセキュリティ管理部を備えるものであって、
前記セキュリティ管理部は、前記管理情報に基づき、前記管理者に対して、前記記録部に記録するための格子点を含む図形データ内の領域に応じて、前記判定部の一致レベルを設定するためのメッセージを前記配信部に配信させ、
前記判定部が、前記図形データ内の領域に応じて、前記判定の一致レベルを変化させて判定するようにさせることで、セキュリティレベルを変化させることを特徴とする請求項２記載の電子解錠管理システム。
【請求項５】
前記電子解錠管理システムは、さらに、
前記部屋に顔認証システム、指紋認証システム、虹彩認証システムおよび発話認証システムの少なくともいずれかの認証システムを備えるものであって、
前記発信部は、前記いずれかの認証システムによる認証を得ることで、前記電子施錠解錠機構を解錠するための信号を前記電子施錠解錠機構に発信するものである請求項３または４記載の電子解錠管理システム。
【請求項６】
前記サーバは、
前記記録部は、前記ユーザの過去の電子解錠管理システムの利用時における管理者の信頼度に関する信頼情報を記録しているものであって、
前記セキュリティ管理部は、前記信頼情報に基づいて前記セキュリティレベルを変化させることを特徴とする請求項３乃至５いずれか一項記載の電子解錠管理システム。
【請求項７】
前記サーバは、さらに、前記管理者によって、前記記録部に記録するための前記管理情報、前記ユーザ情報、前記図形データを入力するための管理部を備えることを特徴とする請求項１乃至６のいずれか一項記載の電子解錠管理システム。
【請求項８】
前記配信部は、前記発信部が、前記電子施錠解錠機構を解錠するための信号を前記電子施錠解錠機構に発信する際に、前記管理情報および前記ユーザ情報に基づき、管理者にどの部屋のどのユーザが電子解錠したかを示すメッセージを配信することを特徴とする請求項１乃至７のいずれか一項記載の電子解錠管理システム。
【請求項９】
前記配信部は、前記発信部が、前記電子施錠解錠機構を解錠するための信号を前記電子施錠解錠機構に発信する際に、前記管理情報および前記ユーザ情報に基づき、管理者にどの部屋のどのユーザが電子解錠したかを示すメッセージを配信することを特徴とする請求項１乃至８のいずれか一項記載の電子解錠管理システム。
【請求項１０】
電子解錠を可能とするための入力部を備える電子施錠解錠機構を備えた部屋、該部屋を管理する管理者および部屋の解錠有無に関する情報を含む管理情報と、前記部屋を利用するユーザおよび該ユーザの連絡先に関するユーザ情報と、前記管理者が設定した、前記部屋に対応する電子解錠のための図形を表す図形データとを記録する記録部と、
前記ユーザ情報に基づいて、前記ユーザの携帯端末の画面上に前記図形データを表示させるためのメッセージを配信する配信部と、
前記ユーザが、前記入力部に入力した図形データを受け付ける受付部と、
前記受け付けられた図形データと、前記記録された図形データとの一致判定をする判定部と、
前記判定によりそれぞれの図形データが一致する際に、前記電子施錠解錠機構を解錠するための信号を前記電子施錠解錠機構に発信する発信部と、
前記発信により電子施錠解錠機構が解錠されたことを前記管理情報に更新する更新部とを備えた電子解錠管理サーバ。
【請求項１１】
電子解錠を可能とするための入力部を備える電子施錠解錠機構を備えた部屋、該部屋を管理する管理者および部屋の解錠有無に関する情報を含む管理情報と、前記部屋を利用するユーザおよび該ユーザの連絡先に関するユーザ情報と、前記管理者が設定した、前記部屋に対応する電子解錠のための図形を表す図形データとを記録する記録ステップと、
前記ユーザ情報に基づいて、前記ユーザの携帯端末の画面上に前記図形データを表示させるためのメッセージを配信する配信ステップと、
前記ユーザが、前記入力部に入力した図形データを受け付ける受付ステップと、
前記受け付けられた図形データと、前記記録された図形データとの一致判定をする判定ステップと、
前記判定によりそれぞれの図形データが一致する際に、前記電子施錠解錠機構を解錠するための信号を前記電子施錠解錠機構に発信する発信ステップと、
前記発信により電子施錠解錠機構が解錠されたことを前記管理情報に更新する更新ステップとを有する電子解錠管理方法。
【請求項１２】
コンピュータに、
電子解錠を可能とするための入力部を備える電子施錠解錠機構を備えた部屋、該部屋を管理する管理者および部屋の解錠有無に関する情報を含む管理情報と、前記部屋を利用するユーザおよび該ユーザの連絡先に関するユーザ情報と、前記管理者が設定した、前記部屋に対応する電子解錠のための図形を表す図形データとを記録する記録機能と、
前記ユーザ情報に基づいて、前記ユーザの携帯端末の画面上に前記図形データを表示させるためのメッセージを配信する配信機能と、
前記ユーザが、前記入力部に入力した図形データを受け付ける受付機能と、
前記受け付けられた図形データと、前記記録された図形データとの一致判定をする判定機能と、
前記判定によりそれぞれの図形データが一致する際に、前記電子施錠解錠機構を解錠するための信号を前記電子施錠解錠機構に発信する発信機能と、
前記発信により電子施錠解錠機構が解錠されたことを前記管理情報に更新する更新機能とを実現させるための電子解錠管理プログラム。
【手続補正２】
【補正対象書類名】明細書
【補正対象項目名】０００６
【補正方法】変更
【補正の内容】
【０００６】
本発明の電子解錠管理システムは、電子解錠を可能とするための入力部を備える電子施錠解錠機構と、電子施錠解錠機構を備えた部屋、該部屋を管理する管理者および部屋の解錠有無に関する情報を含む管理情報と、部屋を利用するユーザおよび該ユーザの連絡先に関するユーザ情報と、管理者が設定した、部屋に対応する電子解錠のための図形を表す図形データとを記録する記録部と、ユーザ情報に基づいて、ユーザの携帯端末の画面上に図形データを表示させるためのメッセージを配信する配信部と、ユーザが、入力部に入力した図形データを受け付ける受付部と、受け付けられた図形データと、記録された図形データとの一致判定をする判定部と、判定によりそれぞれの図形データが一致する際に、電子施錠解錠機構を解錠するための信号を電子施錠解錠機構に発信する発信部と、発信により電子施錠解錠機構が解錠されたことを管理情報に更新する更新部とを備える。
【手続補正３】
【補正対象書類名】明細書
【補正対象項目名】０００８
【補正方法】変更
【補正の内容】
【０００８】
「サーバ」は、部屋の使用用途に応じた電子解錠のセキュリティレベルを変化させるセキュリティ管理部を備えるものであって、セキュリティ管理部は、管理情報に基づき、管理者に対して、記録部に記録するための図形データを複数設定するためのメッセージを配信部に配信させ、判定部が、複数設定された図形データがそれぞれ一致するように判定するようにさせることで、セキュリティレベルを変化させることものであってもよい。
【手続補正４】
【補正対象書類名】明細書
【補正対象項目名】００１３
【補正方法】変更
【補正の内容】
【００１３】
「配信部」は、発信部が、電子施錠解錠機構を解錠するための信号を電子施錠解錠機構に発信する際に、管理情報およびユーザ情報に基づき、管理者にどの部屋のどのユーザが電子解錠したかを示すメッセージを配信するものであってもよい。
【手続補正５】
【補正対象書類名】明細書
【補正対象項目名】００１４
【補正方法】変更
【補正の内容】
【００１４】
「配信部」は、発信部が、電子施錠解錠機構を解錠するための信号を電子施錠解錠機構に発信する際に、管理情報およびユーザ情報に基づき、管理者にどの部屋のどのユーザが電子解錠したかを示すメッセージを配信するものであってもよい。
【手続補正６】
【補正対象書類名】明細書
【補正対象項目名】００１５
【補正方法】変更
【補正の内容】
【００１５】
本発明の「電子解錠管理サーバ」は、電子解錠を可能とするための入力部を備える電子施錠解錠機構を備えた部屋、該部屋を管理する管理者および部屋の解錠有無に関する情報を含む管理情報と、部屋を利用するユーザおよび該ユーザの連絡先に関するユーザ情報と、管理者が設定した、部屋に対応する電子解錠のための図形を表す図形データとを記録する記録部と、ユーザ情報に基づいて、ユーザの携帯端末の画面上に図形データを表示させるためのメッセージを配信する配信部と、ユーザが、入力部に入力した図形データを受け付ける受付部と、受け付けられた図形データと、記録された図形データとの一致判定をする判定部と、判定によりそれぞれの図形データが一致する際に、電子施錠解錠機構を解錠するための信号を電子施錠解錠機構に発信する発信部と、発信により電子施錠解錠機構が解錠されたことを管理情報に更新する更新部とを備えるものである。
【手続補正７】
【補正対象書類名】明細書
【補正対象項目名】００１６
【補正方法】変更
【補正の内容】
【００１６】
本発明の「電子解錠管理方法」は、電子解錠を可能とするための入力部を備える電子施錠解錠機構を備えた部屋、該部屋を管理する管理者および部屋の解錠有無に関する情報を含む管理情報と、部屋を利用するユーザおよび該ユーザの連絡先に関するユーザ情報と、管理者が設定した、部屋に対応する電子解錠のための図形を表す図形データとを記録する記録ステップと、ユーザ情報に基づいて、ユーザの携帯端末の画面上に図形データを表示させるためのメッセージを配信する配信ステップと、ユーザが、入力部に入力した図形データを受け付ける受付ステップと、受け付けられた図形データと、記録された図形データとの一致判定をする判定ステップと、判定によりそれぞれの図形データが一致する際に、電子施錠解錠機構を解錠するための信号を電子施錠解錠機構に発信する発信ステップと、発信により電子施錠解錠機構が解錠されたことを管理情報に更新する更新ステップとを有する。
【手続補正８】
【補正対象書類名】明細書
【補正対象項目名】００１７
【補正方法】変更
【補正の内容】
【００１７】
本発明の「電子解錠管理プログラム」は、コンピュータに、電子解錠を可能とするための入力部を備える電子施錠解錠機構を備えた部屋、該部屋を管理する管理者および部屋の解錠有無に関する情報を含む管理情報と、部屋を利用するユーザおよび該ユーザの連絡先に関するユーザ情報と、管理者が設定した記部屋に対応する電子解錠のための図形を表す図形データとを記録する記録機能と、ユーザ情報に基づいて、ユーザの携帯端末の画面上に図形データを表示させるためのメッセージを配信する配信機能と、ユーザが、入力部に入力した図形データを受け付ける受付機能と、受け付けられた図形データと、記録された図形データとの一致判定をする判定機能と、判定によりそれぞれの図形データが一致する際に、電子施錠解錠機構を解錠するための信号を電子施錠解錠機構に発信する発信機能と、発信により電子施錠解錠機構が解錠されたことを管理情報に更新する更新機能を実現させるものである。
【手続補正９】
【補正対象書類名】明細書
【補正対象項目名】００１９
【補正方法】変更
【補正の内容】
【００１９】
＜実施の形態＞
＜構成＞
本発明に係る電子解錠管理システムは、電子解錠を管理するための発明である。図１は、本発明の実施形態における電子解錠管理システム１５０の構成を表す機能ブロック図である。図１に示すように、電子解錠管理システム１５０は、電子解錠を可能とするための入力部１０を備える電子施錠解錠機構１５と、電子施錠解錠機構１５を備えた部屋、該部屋を管理する管理者および部屋の解錠有無に関する情報を含む管理情報と、部屋を利用するユーザおよび該ユーザの連絡先に関するユーザ情報と、管理者が設定した、部屋に対応する電子解錠のための図形を表す図形データとを記録する記録部３０と、ユーザ情報に基づいて、ユーザの携帯端末２０の画面上に図形データを表示させるためのメッセージを配信する配信部４０と、ユーザが、入力部１０に入力した図形データを受け付ける受付部５０と、受け付けられた図形データと、記録された図形データとの一致判定をする判定部６０と、判定によりそれぞれの図形データが一致する際に、電子施錠解錠機構１５を解錠するための信号を電子施錠解錠機構１５に発信する発信部７０と、発信により電子施錠解錠機構１５が解錠されたことを管理情報に更新する更新部８０とを備える。
【手続補正１０】
【補正対象書類名】明細書
【補正対象項目名】００３０
【補正方法】変更
【補正の内容】
【００３０】
サーバ１２０は、部屋の使用用途に応じた電子解錠のセキュリティレベルを変化させるセキュリティ管理部９０を備えるものである。セキュリティ管理部９０は、管理情報に基づき、管理者に対して、記録部に記録するための図形データを複数設定するためのメッセージを配信部に配信させ、判定部が、複数設定された図形データがそれぞれ一致するように判定するようにさせることで、セキュリティレベルを変化させることものであってもよい。
【手続補正１１】
【補正対象書類名】明細書
【補正対象項目名】００３６
【補正方法】変更
【補正の内容】
【００３６】
配信部４０は、発信部７０が、電子施錠解錠機構１５を解錠するための信号を電子施錠解錠機構に発信する際に、管理情報およびユーザ情報に基づき、管理者にどの部屋のどのユーザが電子解錠したかを示すメッセージを配信するものであってもよい。それにより、管理者の管理負荷を軽減し、それぞれのユーザの賃貸の状況の把握が容易になる。
【手続補正１２】
【補正対象書類名】明細書
【補正対象項目名】００３９
【補正方法】変更
【補正の内容】
【００３９】
次に、図２のフローチャートを参照しながら、電子解錠管理システム１５０の解錠までを行う手順を詳細に説明する。管理者５は、マンション、アパート、賃貸物件、期限付き賃貸物件などの物件を保有する。管理者５は、電子解錠管理システム１５０に、管理者コンピュータ９９を介してアクセスし、これらの物件に対して、どのユーザに対して、どのようなセキュリティを設定するかを決定する。具体的には、管理者５は、（１）管理者として保有する物件名、物件の住所、管理者の電話番号、FAX番号、携帯電話、メールアドレス、部屋番号、部屋の賃貸形態を登録情報として、記録部３０に記録する。賃貸形態は、部屋にどのような形態でユーザを賃貸させるかということに関する情報であって、ユーザの性別、賃貸期間、家賃などが含まれる。また、登録情報には、入居か、民泊か、一時利用かなどの３段階に分けて管理されていてもよい。サーバ１２０は、管理者５により登録された上記登録情報を含む管理情報を記録部３０に記録する。